(57)【要約】  情報再生装置（２００）は、画像データ、音楽データ、並びに第１の再生プログラムが記録された情報記録媒体（１０３）から、画像データ、音楽データ及び第１の再生プログラムを読み取る読取手段（１１３）と、第２の再生プログラムを格納する格納手段（３５２）と、第１の再生プログラム及び第２の再生プログラムのうちいずれか一つを、画像データの再生に実際に用いられる主たる再生プログラムとして選択する選択手段（３２４）と、主たる再生プログラムにより、画像データをスライドショーとして再生する再生手段（３１３）とを備える。
2007111300.tif 000002
【特許請求の範囲】
【請求項１】
画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、
前記画像データ及び前記音楽データの夫々を第２の態様のスライドショーとして再生する第２の再生プログラムを格納する格納手段と、
前記第１の再生プログラム及び前記第２の再生プログラムのうちいずれか一つを、少なくとも前記画像データの再生に実際に用いられる主たる再生プログラムとして選択する選択手段と、
前記選択手段により選択されている前記主たる再生プログラムにより、少なくとも前記画像データを、前記第１の態様又は前記第２の態様のスライドショーとして再生する再生手段と
を備えることを特徴とする情報再生装置。
【請求項２】
前記選択手段により選択されている前記主たるプログラムにより前記画像データ及び前記音楽データの夫々が再生されているときに、前記選択手段により選択されていない従たる再生プログラムが新たに前記主たるプログラムとして選択された場合、新たに選択されている前記主たる再生プログラムにより前記画像データを再生し、且つ前記主たる再生プログラムが新たに選択される以前に選択されていた前記主たる再生プログラムにより前記音楽データを再生するように前記再生手段を制御する第１制御手段を更に備えることを特徴とする請求の範囲第１項に記載の情報再生装置。
【請求項３】
前記選択手段により選択されている前記主たるプログラムにより前記画像データが再生され且つ前記選択手段により選択されていない前記従たる再生プログラムにより前記音楽データの夫々が再生されているときに、前記選択手段により選択されていない従たる再生プログラムが新たに主たるプログラムとして選択された場合、新たに選択されている前記主たる再生プログラムにより前記画像データ及び前記音楽データの夫々を再生するように前記再生手段を制御する第２制御手段を更に備えることを特徴とする請求の範囲第２項に記載の情報再生装置。
【請求項４】
前記第１再生プログラム及び前記第２再生プログラムのうち前記選択手段により選択されていない従たる再生プログラムを、バックグラウンド環境下で実行する実行手段を更に備えることを特徴とする請求の範囲第１項に記載の情報再生装置。
【請求項５】
前記実行手段は、前記従たる再生プログラムの処理負荷が前記主たる再生プログラムの処理負荷よりも軽くなるように、前記従たる再生プログラムを実行することを特徴とする請求の範囲第４項に記載の情報再生装置。
【請求項６】
前記格納手段は、前記読取手段により読み取られる前記画像データ及び前記音楽データの夫々を、夫々異なる前記第２の態様のスライドショーとして再生する複数の前記第２の再生プログラムを格納し、
前記選択手段は、前記読取手段により読み取られる前記第１の再生プログラム及び前記格納手段に格納される前記複数の第２の再生プログラムのうちいずれか一つを、前記主たる再生プログラムとして選択することを特徴とする請求の範囲第１項に記載の情報再生装置。
【請求項７】
画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、前記画像データ及び前記音楽データの夫々を第２の態様のスライドショーとして再生する第２の再生プログラムを格納する格納手段とを備える情報再生装置における情報再生方法であって、
前記第１の再生プログラム及び前記第２の再生プログラムのうちいずれか一つを、少なくとも前記画像データの再生に実際に用いられる主たる再生プログラムとして選択する選択工程と、
前記選択工程において選択されている前記主たる再生プログラムにより、少なくとも前記画像データを、前記第１の態様又は前記第２の態様のスライドショーとして再生する再生手段と
を備えることを特徴とする情報再生方法。
【請求項８】
請求の範囲第１項に記載の情報再生装置に備えられたコンピュータを制御する再生制御用のコンピュータプログラムであって、該コンピュータを前記選択手段及び前記再生手段のうち少なくとも一部として機能させることを特徴とするコンピュータプログラム。
【発明の詳細な説明】
【技術分野】
【０００１】
本発明は、例えばスライドショーを再生する情報再生装置及び方法、並びにコンピュータをこのような情報再生装置として機能させるコンピュータプログラムの技術分野に関する。
【背景技術】
【０００２】
デジタルカメラ等の普及が進んでいる。ユーザは、パソコン等が備えるディスプレイ上に表示することで、このデジタルカメラにより撮影された画像データを比較的容易に見ることができる。更に、一定間隔で或いはランダムな間隔で、複数の画像データを連続的に表示するスライドショーアプリケーションを用いて、撮影された画像データを見ることもできる。例えば特許文献１には、画像データと、音楽データと、該画像データ及び音楽データを用いたスライドショーを実行するためのスライドショーアプリケーションとが、同一の情報記録媒体に記録される技術が開示されている。この情報記録媒体を再生することで、スライドショーを表示することができる。【０００３】
【特許文献１】特開２００３−２８８０９４号公報
【発明の開示】
【発明が解決しようとする課題】
【０００４】
しかしながら、上述したスライドショーの内容は、情報記録媒体に記録された画像データと音楽データに限定されている。また、スライドショーの再生の態様は、同一の情報記録媒体に記録されたプログラムによって規定されている。このため、再生されるスライドショーが必ずしもユーザの趣向に合っているものとは限らない。【０００５】
本発明は、例えば上述した従来の問題点に鑑みなされたものであり、例えば好適なスライドショーを再生することができる情報再生装置及び方法、並びにコンピュータをこのような情報再生装置として機能させるコンピュータプログラムを提供することを課題とする。
【課題を解決するための手段】
【０００６】
（情報再生装置）
上記課題を解決するために、本発明の情報再生装置は、画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、前記画像データ及び前記音楽データの夫々を第２の態様のスライドショーとして再生する第２の再生プログラムを格納する格納手段と、前記第１の再生プログラム及び前記第２の再生プログラムのうちいずれか一つを、少なくとも前記画像データの再生に実際に用いられる主たる再生プログラムとして選択する選択手段と、前記選択手段により選択されている前記主たる再生プログラムにより、少なくとも前記画像データを、前記第１の態様又は前記第２の態様のスライドショーとして再生する再生手段とを備える。【０００７】
本発明の情報再生装置によれば、読取手段の動作により、画像データ（例えば、ＪＰＥＧ画像データや、その他の形式の画像データや、ＭＰＥＧ動画データ等から抽出される画像データ等）と、音楽データと、第１の再生プログラムとが、情報記録媒体から取得される。第１の再生プログラムは、画像データ及び音楽データの夫々を、音楽データの再生に合わせて画像データが連続的に再生されるスライドショーであって且つ第１の態様のスライドショーとして再生するための再生プログラムであって、画像データ及び音楽データと共に情報記録媒体に記録される。【０００８】
また、本発明に係る情報再生装置は、画像データ及び音楽データの夫々を、音楽データの再生に合わせて画像データが連続的に再生されるスライドショーであって且つ第１の態様とは異なる第２の態様のスライドショーとして再生するための第２の再生プログラムを格納する格納手段を備えている。【０００９】
そして、選択手段の動作により、第１の再生プログラム及び第２の再生プログラムのうちいずれか一方が、少なくとも画像データを再生するために実際に用いられる主たる再生プログラムとして選択される。その後、再生手段の動作により、選択されている主たる再生プログラムを用いて少なくとも画像データがスライドショートして再生される。このとき、音楽データは、選択手段により選択されている主たる再生プログラムを用いて再生してもよいし、或いは、選択手段により選択されていない従たる再生プログラムを用いて再生してもよい。【００１０】
具体的には、例えば選択手段により第１の再生プログラムが主たる再生プログラムとして選択された場合には、第１の再生プログラムを用いて、少なくとも画像データが第１の態様のスライドショーとして再生される。このとき、音楽データは、選択手段により選択されている第１の再生プログラムを用いて再生してもよいし、或いは、選択手段により選択されていない第２の再生プログラムを用いて再生してもよい。他方、例えば選択手段により第２の再生プログラムが主たる再生プログラムとして選択された場合には、第２の再生プログラムを用いて、少なくとも画像データが第２の態様のスライドショーとして再生される。このとき、音楽データは、選択手段により選択されている第２の再生プログラムを用いて再生してもよいし、或いは、選択手段により選択されていない第１の再生プログラムを用いて再生してもよい。【００１１】
一般に、画像データ及び音楽データと共に第１の再生プログラムが同じ情報記録媒体に記録されている場合には、第１の再生プログラムのみを用いて、画像データ及び音楽データが第１の態様のスライドショーとしての再生されることが多い。しかるに、本発明によれば、第１の再生プログラムとは異なる第２の再生プログラムをも用いて、画像データ及び音楽データを第１の態様とは異なる第２の態様のスライドショーとして再生することができる。このため、単に情報記録媒体に記録されている第１の再生プログラムを用いる場合と比較して、画像データ及び音楽データを、好適な態様のスライドショーとして再生することができる。【００１２】
そして、いずれの再生プログラムを用いて画像データ及び音楽データのスライドショーとしての再生を行うかを、選択手段の動作によって適宜選択することができる。このため、ユーザの趣向に合わせて、画像データ及び音楽データを、好適な態様のスライドショーとして再生することができる。【００１３】
更に、格納手段に格納されている第２の再生プログラムを適宜更新することで、画像データ及び音楽データを、多種多様な態様のスライドショーとして再生することができる。【００１４】
本発明の情報再生装置の一の態様は、前記選択手段により選択されている前記主たるプログラムにより前記画像データ及び前記音楽データの夫々が再生されているときに、前記選択手段により選択されていない従たる再生プログラムが新たに前記主たるプログラムとして選択された場合、新たに選択されている前記主たる再生プログラムにより前記画像データを再生し、且つ前記主たる再生プログラムが新たに選択される以前に選択されていた前記主たる再生プログラムにより前記音楽データを再生するように前記再生手段を制御する第１制御手段を更に備える。【００１５】
この態様によれば、選択手段により選択される主たる再生プログラムが第１の再生プログラムから第２の再生プログラムへ、又は第２の再生プログラムから第１の再生プログラムへ変更された場合には、画像データの再生に用いられる再生プログラムが切り替えられる。他方、音楽データの再生に用いられる再生プログラムは切り替えられない。つまり、音楽データは、以前に選択されていた再生プログラムをそのまま用いて再生される。これにより、再生プログラムの切り替えによっても、楽曲の滑らかなつながりが相対的に重視される音楽データの不自然な切り替えが殆ど或いは全く生じないという利点を有する。一方で、画像データの再生の態様を切り替えることができるため、画像データ及び音楽データを、多種多様な態様のスライドショーとして再生することができる。【００１６】
本発明の情報再生装置の他の態様は、前記選択手段により選択されている前記主たるプログラムにより前記画像データが再生され且つ前記選択手段により選択されていない前記従たる再生プログラムにより前記音楽データの夫々が再生されているときに、前記選択手段により選択されていない従たる再生プログラムが新たに主たるプログラムとして選択された場合、新たに選択されている前記主たる再生プログラムにより前記画像データ及び前記音楽データの夫々を再生するように前記再生手段を制御する第２制御手段を更に備える。【００１７】
この態様によれば、選択手段により選択される主たる再生プログラムが第１の再生プログラムから第２の再生プログラムへ、又は第２の再生プログラムから第１の再生プログラムへ変更された場合には、画像データの再生に用いられる再生プログラムが切り替えられる。他方、音楽データの再生に用いられる再生プログラムは切り替えられない。つまり、音楽データは、以前に選択されていた再生プログラムをそのまま用いて再生される。これにより、再生プログラムの切り替えによっても、楽曲の滑らかなつながりが相対的に重視される音楽データの不自然な切り替えが殆ど或いは全く生じないという利点を有する。一方で、画像データの再生の態様を切り替えることができるため、画像データ及び音楽データを、多種多様な態様のスライドショーとして再生することができる。【００１８】
これら２つの態様について、より具体的に説明すると、第１制御手段は、前記第１の再生プログラムにより前記画像データ及び前記音楽データの夫々が再生されているときに、前記選択手段により前記第２の再生プログラムが新たな前記主たるプログラムとして選択された場合、前記主たる再生プログラムである前記第２の再生プログラムにより前記画像データを再生し、且つ前記第１の再生プログラムにより前記音楽データを再生するように前記再生手段を制御する。そして、第２制御手段は、前記第２の再生プログラムにより前記画像データが再生され且つ前記第１の再生プログラムにより前記音楽データが再生されているときに、前記選択手段により前記第２の再生プログラムが新たな前記主たるプログラムとして選択された場合、前記主たる再生プログラムである前記第１の再生プログラムにより前記画像データ及び前記音楽データの夫々を再生するように前記再生手段を制御する。【００１９】
他方、前記第１制御手段は、前記第２の再生プログラムにより前記画像データ及び前記音楽データの夫々が再生されているときに、前記選択手段により前記第１の再生プログラムが新たな前記主たるプログラムとして選択された場合、前記主たる再生プログラムである前記第１の再生プログラムにより前記画像データを再生し、且つ前記第２の再生プログラムにより前記音楽データを再生するように前記再生手段を制御する。そして、第２制御手段は、前記第１の再生プログラムにより前記画像データが再生され且つ前記第２の再生プログラムにより前記音楽データが再生されているときに、前記選択手段により前記第２の再生プログラムが新たな前記主たるプログラムとして選択された場合、前記主たる再生プログラムである前記第２の再生プログラムにより前記画像データ及び前記音楽データの夫々を再生するように前記再生手段を制御する。【００２０】
本発明の情報再生装置の他の態様は、前記第１再生プログラム及び前記第２再生プログラムのうち前記選択手段により選択されていない従たる再生プログラムを、バックグラウンド環境下で実行する実行手段を更に備える。【００２１】
この態様によれば、選択手段により選択される主たる再生プログラムが第１の再生プログラムから第２の再生プログラムへ、又は第２の再生プログラムから第１の再生プログラムへ変更された場合であっても、再生プログラムの切り替えを相対的にスムーズに或いは相対的に短時間で行うことができる。これにより、画像データ及び音楽データのスライドショーとしての再生に違和感を発生させることなく、好適に再生を継続することができる。【００２２】
上述の如く実行手段を備える情報再生装置の態様では、前記実行手段は、前記従たる再生プログラムの処理負荷が前記主たる再生プログラムの処理負荷よりも軽くなるように、前記従たる再生プログラムを実行するように構成してもよい。【００２３】
このように構成すれば、主たる再生プログラムによる画像データ及び音楽データのスライドショーとしての再生に悪影響を与えることなく、従たる再生プログラムをバックグラウンド環境下で実行することができる。【００２４】
本発明の情報再生装置の他の態様は、前記格納手段は、前記読取手段により読み取られる前記画像データ及び前記音楽データの夫々を、夫々異なる前記第２の態様のスライドショーとして再生する複数の前記第２の再生プログラムを格納し、前記選択手段は、前記読取手段により読み取られる前記第１の再生プログラム及び前記格納手段に格納される前記複数の第２の再生プログラムのうちいずれか一つを、前記主たる再生プログラムとして選択する。【００２５】
この態様によれば、画像データ及び音楽データを、更に多種多様な態様のスライドショーとして再生することができる。【００２６】
（情報再生方法）
上記課題を解決するために、本発明の情報再生方法は、画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、前記画像データ及び前記音楽データの夫々を第２の態様のスライドショーとして再生する第２の再生プログラムを格納する格納手段とを備える情報再生装置における情報再生方法であって、前記第１の再生プログラム及び前記第２の再生プログラムのうちいずれか一つを、少なくとも前記画像データの再生に実際に用いられる主たる再生プログラムとして選択する選択工程と、前記選択工程において選択されている前記主たる再生プログラムにより、少なくとも前記画像データを、前記第１の態様又は前記第２の態様のスライドショーとして再生する再生手段とを備える。【００２７】
本発明の情報再生方法によれば、上述した本発明の情報再生装置が有する各種利益と同様の利益を享受することができる。【００２８】
尚、上述した本発明の情報再生装置における各種態様に対応して、本発明の情報再生方法も各種態様を採ることが可能である。【００２９】
（コンピュータプログラム）
上記課題を解決するために、本発明のコンピュータプログラムは、上述した本発明の情報再生装置（但し、各種態様を含む）に備えられたコンピュータを制御する再生制御用のコンピュータプログラムであって、該コンピュータを、前記選択手段及び前記再生手段のうち少なくとも一部として機能させる。【００３０】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置を比較的簡単に実現できる。【００３１】
尚、上述した本発明の情報再生装置における各種態様に対応して、本発明のコンピュータプログラムも各種態様を採ることが可能である。【００３２】
上記課題を解決するために、コンピュータ読取可能な媒体内のコンピュータプログラム製品は、上述した本発明の情報再生装置（但し、その各種態様を含む）に備えられたコンピュータにより実行可能なプログラム命令を明白に具現化し、該コンピュータを、前記選択手段及び前記再生手段のうち少なくとも一部として機能させる。【００３３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置を比較的容易に実施可能となる。更に具体的には、当該コンピュータプログラム製品は、上述した本発明の情報再生装置として機能させるコンピュータ読取可能なコード（或いはコンピュータ読取可能な命令）から構成されてよい。【００３４】
本発明のこのような作用及び他の利得は次に説明する実施例から更に明らかにされよう。【００３５】
以上説明したように、本発明の情報再生装置によれば、読取手段と、格納手段と、選択手段と、再生手段とを備える。本発明の情報記録方法によれば、選択工程と、再生工程とを備える。本発明のコンピュータプログラムによれば、コンピュータを選択手段と、再生手段との少なくとも一部として機能させる。従って、好適なスライドショーを再生することができる。
【図面の簡単な説明】
【００３６】
【図１】本実施例に係る情報記録再生装置の基本的な構成を概念的に示すブロック図である。
【図２】本実施例に係る情報記録再生装置の再生動作の流れを概念的に示す第１のフローチャートである。
【図３】本実施例に係る情報記録再生装置の再生動作の流れを概念的に示す第２のフローチャートである。
【図４】外部プログラム及び内部プログラムの実行の態様を概念的に示すタイミングチャートである。
【図５】プログラムを切り替える際の外部プログラム及び内部プログラムの実行の第１の態様を概念的に示すタイミングチャートである。
【図６】プログラムを切り替える際の外部プログラム及び内部プログラムの実行の第２の態様を概念的に示すタイミングチャートである。
【図７】変形例に係る情報記録再生装置内部の構成を概念的に示すブロック図である。
【図８】本実施例に係る情報記録再生装置の再生動作のうちの内部プログラムによる再生の一具体例を実現するときの、情報記録再生装置内部の構成を概念的に示すブロック図である。
【図９】本実施例に係る情報記録再生装置の再生動作のうちの内部プログラムによる再生の一具体例の流れを概念的に示すフローチャートである。
【図１０】画像データの枚数、音楽データの演奏時間及びスライドショーの表示に要する時間を表示する表示画面を概念的に示す説明図である。
【符号の説明】
【００３７】
１０１  メモリカード
１０２  ハードディスク
１０３  光ディスク
１１１、１１２、１１３  記録再生部
２００  情報記録再生装置
３０１  画像選択部
３０２  音楽選択部
３１０  音楽解析部
３１１  特殊効果処理部
３１２  エンコーダ
３１３  再生部
３２２  外部プログラム実行部
３２３  内部プログラム実行部
３２４  実行プログラム切替部
３５１  ＣＰＵ
３５２  メモリ
３５４  内部プログラム格納部
【発明を実施するための最良の形態】
【００３８】
以下、本発明を実施するための最良の形態について実施例毎に順に図面に基づいて説明する。【００３９】
（１）  基本構成
初めに、図１を参照して、本発明の情報再生装置に係る実施例としての情報記録再生装置２００について説明する。ここに、図１は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。【００４０】
図１に示すように、情報記録再生装置２００は、メモリカード１０１と、ハードディスク１０２と、光ディスク１０３と、記録再生部１１１と、記録再生部１１２と、記録再生部１１３と、再生用バッファ１２１と、再生用バッファ１２２と、再生用バッファ１２３と、記録用バッファ１３１と、記録用バッファ１３２と、記録用バッファ１３３と、画像指定部３０１と、音楽指定部３０２と、画像デコーダ３０３と、音楽デコーダ３０４と、解像度変換部３０５と、デジタル変換部３０６と、デジタル変換部３０７と、外部画像指定部３０８と、外部音楽指定部３０９と、エンコーダ３１２と、再生部３１３と、プログラム指定部３２１と、外部プログラム実行部３２２と、内部プログラム実行部３２３と、プログラム切替部３２４と、ＣＰＵ３５１と、メモリ３５２と、入力部３５３とを備えている。【００４１】
メモリカード１０１は、本発明における「情報記録媒体」の一具体例を構成しており、例えばメモリースティックや、ＳＤカードや、コンパクトフラッシュ等の小型半導体メモリを含んでいる。メモリカード１０１には、例えば画像データや音楽データが記録される。更に、メモリカード１０１には、画像データ及び音楽データをスライドショーとして再生する外部プログラムが記録される。【００４２】
ハードディスク１０２は、本発明における「情報記録媒体」の一具体例を構成しており、磁気記録媒体である。一般にハードディスク１０２は、メモリカード１０１や光ディスク１０３と比較すると、大容量のデータを記録することができる。ハードディスク１０２には、例えば画像データや音楽データが記録される。更に、ハードディスク１０２には、画像データ及び音楽データをスライドショーとして再生する外部プログラムが記録される。【００４３】
光ディスク１０３は、本発明における「情報記録媒体」の一具体例を構成しており、例えばＣＤや、ＤＶＤや、Ｂｌｕ−ｒａｙ  Ｄｉｓｃや、ＨＤ  ＤＶＤ等を含んでいる。光ディスク１０３には、例えば画像データや音楽データが記録される。更に、光ディスク１０３には、画像データ及び音楽データをスライドショーとして再生する外部プログラムが記録される。【００４４】
尚、メモリカード１０１、ハードディスク１０２及び光ディスク１０３の全てに外部プログラムが記録されている必要はない。つまり、本実施例に係る情報記録再生装置２００には、外部プログラムが記録されていないメモリカード１０１、ハードディスク１０２及び光ディスク１０３を用いてもよい。【００４５】
記録再生部１１１は、本発明における「読取手段」の一具体例を構成しており、メモリカード１０１に対して、データを記録及び再生（或いは、読み取り）可能に構成されている。【００４６】
記録再生部１１２は、本発明における「読取手段」の一具体例を構成しており、ハードディスク１０２に対して、データを記録及び再生（或いは、読み取り）可能に構成されている。【００４７】
記録再生部１１３は、本発明における「読取手段」の一具体例を構成しており、光ディスク１０３に対して、データを記録及び再生（或いは、読み取り）可能に構成されている。【００４８】
再生用バッファ１２１は、メモリカード１０１から再生されるデータを一時的に記録可能に構成されている。【００４９】
再生用バッファ１２２は、ハードディスク１０２から再生されるデータを一時的に記録可能に構成されている。【００５０】
再生用バッファ１２３は、光ディスク１０３から再生されるデータを一時的に記録可能に構成されている。【００５１】
記録用バッファ１３１は、メモリカード１０１に記録するデータを一時的に記録可能に構成されている。【００５２】
記録用バッファ１３２は、ハードディスク１０２に記録するデータを一時的に記録可能に構成されている。【００５３】
記録用バッファ１３３は、光ディスク１０３に記録するデータを一時的に記録可能に構成されている。【００５４】
画像指定部３０１は、画像データの取得先を指定可能に構成されている。具体的には、画像データを、メモリカード１０１、ハードディスク１０２及び光ディスク１０３のいずれから取得するかを指定可能に構成されている。入力部３５３を用いたユーザの指示により或いはＣＰＵ３５１の制御により、画像データの取得先としてメモリカード１０１が指定されれば、画像指定部３０１が記録再生部１１１を制御することで、再生用バッファ１２１を介してメモリカード１０１から画像データが取得される。入力部３５３を用いたユーザの指示により或いはＣＰＵ３５１の制御により、画像データの取得先としてハードディスク１０２が指定されれば、画像指定部３０１が記録再生部１１２を制御することで、再生用バッファ１２２を介してハードディスク１０２から画像データが取得される。入力部３５３を用いたユーザの指示により或いはＣＰＵ３５１の制御により、画像データの取得先として光ディスク１０３が指定されれば、画像指定部３０１が記録再生部１１３を制御することで、再生用バッファ１２３を介して光ディスク１０３から画像データが取得される。尚、画像データの取得先は、ユーザの指示により指定されるように構成してもよいし、或いはＣＰＵ３５１の制御の下に自動的に指定されてもよい。【００５５】
音楽指定部３０２は、音楽データの取得先を指定可能に構成されている。具体的には、音楽データを、メモリカード１０１、ハードディスク１０２及び光ディスク１０３のいずれから取得するかを指定可能に構成されている。入力部３５３を用いたユーザの指示により或いはＣＰＵ３５１の制御により、音楽データの取得先としてメモリカード１０１が指定されれば、音楽指定部３０２が記録再生部１１１を制御することで、再生用バッファ１２１を介してメモリカード１０１から音楽データが取得される。入力部３５３を用いたユーザの指示により或いはＣＰＵ３５１の制御により、音楽データの取得先としてハードディスク１０２が指定されれば、音楽指定部３０２が記録再生部１１２を制御することで、再生用バッファ１２２を介してハードディスク１０２から音楽データが取得される。入力部３５３を用いたユーザの指示により或いはＣＰＵ３５１の制御により、音楽データの取得先として光ディスク１０３が指定されれば、音楽指定部３０２が記録再生部１１３を制御することで、再生用バッファ１２３を介して光ディスク１０３から音楽データが取得される。尚、音楽データの取得先は、ユーザの指示により指定されるように構成してもよいし、或いはＣＰＵ３５１の制御の下に自動的に指定されてもよい。【００５６】
プログラム指定部３２１は、外部プログラムの取得先を指定可能に構成されている。具体的には、外部プログラムを、メモリカード１０１、ハードディスク１０２及び光ディスク１０３のいずれから取得するかを指定可能に構成されている。入力部３５３を用いたユーザの指示により或いはＣＰＵ３５１の制御により、外部プログラムの取得先としてメモリカード１０１が指定されれば、プログラム指定部３２１が記録再生部１１１を制御することで、再生用バッファ１２１を介してメモリカード１０１から外部プログラムが取得される。入力部３５３を用いたユーザの指示により或いはＣＰＵ３５１の制御により、外部プログラムの取得先としてハードディスク１０２が指定されれば、プログラム指定部３２１が記録再生部１１２を制御することで、再生用バッファ１２２を介してハードディスク１０２から外部プログラムが取得される。入力部３５３を用いたユーザの指示により或いはＣＰＵ３５１の制御により、外部プログラムの取得先として光ディスク１０３が指定されれば、プログラム指定部３２１が記録再生部１１３を制御することで、再生用バッファ１２３を介して光ディスク１０３から外部プログラムが取得される。尚、外部プログラムの取得先は、ユーザの指示により指定されるように構成してもよいし、或いはＣＰＵ３５１の制御の下に自動的に指定されてもよい。【００５７】
画像デコーダ３０３は、メモリカード１０１、ハードディスク１０２及び光ディスク１０３の少なくとも一つから取得される画像データに対して、該画像データのコーディング法に応じたデコーディング処理を実行可能に構成されている。デコーディング処理が行われた画像データは、解像度変換部３０５へ出力される。【００５８】
また、画像デコーダ３０３は、画像データが、ＡＶストリームとして音楽データと多重化されている場合には、該ＡＶストリームに対してデマルチプレックス処理を施すことで画像データを抽出し、該抽出された画像データに対してデコーディング処理を実行することが好ましい。【００５９】
尚、本実施例における画像データは、メモリカード１０１、ハードディスク１０２又は光ディスク１０３から取得される時点では、ＪＰＥＧ等の静止画データであってもよいし、或いはＭＰＥＧ等の動画データであってもよい。動画データが取得された場合には、上述の如く画像デコーダ３０３の動作により、該動画データから静止画データ画像データとして抽出（例えば、動画データの１ピクチャ、１フレーム或いは１コマを抽出）すれば足りる。【００６０】
音楽デコーダ３０４は、メモリカード１０１、ハードディスク１０２及び光ディスク１０３の少なくとも一つから取得される音楽データに対して、該音楽データのコーディングに応じたデコーディング処理を実行可能に構成されている。デコーディング処理が行われた音楽データは、外部音楽指定部３０９へ出力される。【００６１】
また、音楽デコーダ３０４は、音楽データが、ＡＶストリームとして画像データと多重化されている場合には、該ＡＶストリームに対してデマルチプレックス処理を施すことで音楽データを抽出し、該抽出された音楽データに対してデコーディング処理を実行することが好ましい。【００６２】
解像度変換部３０５は、画像デコーダ３０３においてデコーディング処理が施された画像データに対して、該画像データの画素数を、光ディスク１０３へ記録することができる画素数に変換する変換処理を実行可能に構成されている。【００６３】
デジタル変換部３０６は、入力端子ＩＮ１を介して情報記録再生装置２００の外部のデータ源（言い換えれば、メモリカード１０１、ハードディスク１０２及び光ディスク１０３以外のデータ源であって、例えば外部の情報記録媒体や、有線或いは無線のネットワークを介したサーバ、或いは所定のインタフェースを介して情報記録再生装置２００に接続されたデジタルカメラ等の外部入力機器等）から取得される画像データに対して、情報記録再生装置２００内部で処理可能なデジタル信号に変換する変換処理を実行可能に構成されている。デジタル信号に変換された画像データは、外部画像指定部３０８へ出力される。【００６４】
尚、外部のデータ源から取得される画像データがデジタル信号である場合は、デジタル変換部３０６における変換処理は実行されなくともよい。【００６５】
デジタル変換部３０７は、入力端子ＩＮ２を介して情報記録再生装置２００の外部のデータ源（言い換えれば、メモリカード１０１、ハードディスク１０２及び光ディスク１０３以外のデータ源であって、例えば外部の情報記録媒体や、有線或いは無線のネットワークを介したサーバ、或いは所定のインタフェースを介して情報記録再生装置２００に接続されたデジタルカメラ等の外部入力機器等）から取得される音楽データに対して、情報記録再生装置２００内部で処理可能なデジタル信号に変換する変換処理を実行可能に構成されている。デジタル信号に変換された音楽データは、外部画像指定部３０９へ出力される。【００６６】
尚、外部のデータ源から取得される音楽データがデジタル信号である場合は、デジタル変換部３０７における変換処理は実行されなくともよい。【００６７】
外部画像指定部３０８は、メモリカード１０１、ハードディスク１０２及び光ディスク１０３から取得された画像データを用いてスライドショーを作成するか、又は外部のデータ源から取得された画像データを用いてスライドショーを作成するかを指定可能に構成されている。入力部３５３を用いたユーザの指示により或いはＣＰＵ３５１の制御により、メモリカード１０１、ハードディスク１０２及び光ディスク１０３から取得された画像データを用いてスライドショーを作成すると指定された場合には、外部画像指定部３０８は、メモリカード１０１、ハードディスク１０２及び光ディスク１０３から取得された画像データを外部プログラム実行部３２２又は内部プログラム実行部３２３へ出力する。他方、入力部３５３を用いたユーザの指示により或いはＣＰＵ３５１の制御により、外部のデータ源から取得された画像データを用いてスライドショーを作成すると指定された場合には、外部画像指定部３０８は、外部のデータ源から取得された画像データを外部プログラム実行部３２２又は内部プログラム実行部３２３へ出力する。尚、この指定は、ユーザの指示により指定されるように構成してもよいし、或いはＣＰＵ３５１の制御の下に自動的に指定されてもよい。【００６８】
外部音楽指定部３０９は、メモリカード１０１、ハードディスク１０２及び光ディスク１０３から取得された音楽データを用いてスライドショーを作成するか、又は外部のデータ源から取得された音楽データを用いてスライドショーを作成するかを指定可能に構成されている。入力部３５３を用いたユーザの指示により或いはＣＰＵ３５１の制御により、メモリカード１０１、ハードディスク１０２及び光ディスク１０３から取得された音楽データを用いてスライドショーを作成すると指定された場合には、外部画像指定部３０９は、メモリカード１０１、ハードディスク１０２及び光ディスク１０３から取得された音楽データを外部プログラム実行部３２２又は内部プログラム実行部３２３へ出力する。他方、入力部３５３を用いたユーザの指示により或いはＣＰＵ３５１の制御により、外部のデータ源から取得された音楽データを用いてスライドショーを作成すると指定された場合には、外部画像指定部３０９は、外部のデータ源から取得された音楽データを外部プログラム実行部３２２又は内部プログラム実行部３２３へ出力する。尚、この指定は、ユーザの指示により指定されるように構成してもよいし、或いはＣＰＵ３５１の制御の下に自動的に指定されてもよい。【００６９】
外部プログラム実行部３２２は、メモリカード１０１、ハードディスク１０２及び光ディスク１０３の少なくとも一つに記録される外部プログラムを実行する。これにより、外部画像指定部３０８から出力される画像データ及び外部音楽指定部３０９から出力される音楽データの夫々に対して、外部プログラムが指定する態様のスライドショーとしての再生効果が規定される。スライドショーとしての再生効果が規定された画像データ及び音楽データの夫々は、エンコーダ３１２及び再生部３１３の夫々に出力される。【００７０】
内部プログラム実行部３２３は、メモリ３５２に記録される内部プログラムを実行する。これにより、外部画像指定部３０８から出力される画像データ及び外部音楽指定部３０９から出力される音楽データの夫々に対して、内部プログラムが指定する態様のスライドショーとしての再生効果が規定される。スライドショーとしての再生効果が規定された画像データ及び音楽データの夫々は、エンコーダ３１２及び再生部３１３の夫々に出力される。【００７１】
実行プログラム選択部３２４は、ＣＰＵ３５１と共に本発明における「選択手段」の一具体例を構成しており、例えば入力部３５３を用いたユーザの指示により或いはＣＰＵ３５１の制御により、外部プログラム実行部３２２が外部プログラムを実行するか、又は内部プログラム実行部３２３が内部プログラムを実行するかを選択する。言い換えれば、外部プログラム実行部３２２及び内部プログラム実行部３２３のいずれが、画像データ及び音楽データの夫々に対して、スライドショーとしての再生効果を規定するかを選択する。実行プログラム選択部３２４が、外部プログラム実行部３２２が外部プログラムを実行すると選択した場合には、外部プログラム実行部３２２が、画像データ及び音楽データの夫々に対して、スライドショーとしての再生効果を規定する。他方、実行プログラム選択部３２４が、内部プログラム実行部３２３が内部プログラムを実行すると選択した場合には、内部プログラム実行部３２３が、画像データ及び音楽データの夫々に対して、スライドショーとしての再生効果を規定する。【００７２】
エンコーダ３１２は、メモリカード１０１、ハードディスク１０２又は光ディスク１０３に記録される画像データ及び音楽データを受け取り、これを例えば記録先の記録媒体のフォーマットに応じたコーディング法でエンコードする。例えば、光ディスク１００の一具体例であるＤＶＤに画像データ及び音楽データを記録する場合には、ＭＰＥＧ圧縮方式によりエンコードすることで、夫々独立した画像データ及び音楽データを、ＤＶＤ−ＶＩＤＥＯフォーマット或いはＤＶＤ−ＶＲフォーマットに準拠し且つ多重化されたＭＰＥＧ−ＴＳ信号或いはＭＰＥＧ−ＰＳ信号に変換する。該ＭＰＥＧ−ＴＳ信号或いはＭＰＥＧ−ＰＳ信号を再生することで、外部プログラム実行部３２２又は内部プログラム実行部３２３により規定された態様でのスライドショーとして、画像データ及び音楽データを再生することができる。他のコーディング法でエンコーディングする場合も同様に、外部プログラム実行部３２２又は内部プログラム実行部３２３により規定された態様で画像データ及び音楽データを再生することができるようにエンコーディングされる。【００７３】
エンコードされた画像データ及び音楽データは、記録用バッファ１３１、１３２又は１３３を介して、記録再生部１１１、１１２又は１１３に出力され、メモリカード１０１、ハードディスク１０２又は光ディスク１０３に記録される。【００７４】
再生部３１３は、上述の外部プログラム実行部３２２及び内部プログラム３２３の夫々と共に本発明における「再生手段」の一具体例を構成しており、再生効果が規定された画像データ及び音楽データを、スライドショーとして、例えば、外部出力機器上において再生可能に構成されている。例えば、再生効果が規定された画像データ及び音楽データを、外部出力機器でスライドショーとして再生させるための再生信号に変換してもよいし、或いは、外部出力機器に、再生効果が規定された画像データ及び音楽データをスライドショーとして再生する旨の指示を出力してもよい。【００７５】
ＣＰＵ３５１は、情報記録再生装置２００が備える各部に指示を行うことで、情報記録再生装置２００全体の制御を行う。通常、ＣＰＵ３５１が動作するためのソフトウェア又はファームウェアは、メモリ３５２に格納されている。【００７６】
メモリ３５２は、本発明における「格納手段」の一具体例を構成しており、情報記録再生装置２００におけるデータ処理全般において使用される。また、メモリ３５２は、レコーダ機器としての動作を行うためのプログラム（即ち、ファームウェア）が格納されるＲＯＭ領域と、データを一時的に格納するための及びファームウェアプログラム等の動作に必要な変数が格納するためのＲＡＭ領域などから構成される。【００７７】
メモリ３５２は、更に、その内部に、画像データ及び音楽データをスライドショーとして再生する内部プログラムを記録するための、内部プログラム格納部３５４を備えている。内部プログラム格納部３５４に記録される内部プログラムは、必要に応じて、内部プログラム実行部３２３に読み込まれ、実行される。【００７８】
入力部３５３は、例えばキーボードや、マウスや、タッチパネルや、操作ボタンや、リモコン等の各種コントローラを含んでおり、ユーザの指示を情報記録再生装置２００に入力可能に構成されている。【００７９】
（２）再生動作
続いて、図２から図６を参照して、本実施例に係る情報記録再生装置２００の再生動作の動作原理について説明する。ここに、図２は、本実施例に係る情報記録再生装置２００の再生動作の流れを概念的に示す第１のフローチャートであり、図３は、本実施例に係る情報記録再生装置２００の再生動作の流れを概念的に示す第２のフローチャートであり、図４は、外部プログラム及び内部プログラムの実行の態様を概念的に示すタイミングチャートであり、図５は、プログラムを切り替える際の外部プログラム及び内部プログラムの実行の第１の態様を概念的に示すタイミングチャートであり、図６は、プログラムを切り替える際の外部プログラム及び内部プログラムの実行の第２の態様を概念的に示すタイミングチャートである。【００８０】
尚、以下の説明では、情報記録再生装置２００の再生動作として、例えばＪＰＥＧ等の画像データの再生効果を規定し、該画像データをスライドショーとして再生する動作を例に挙げて説明する。このような動作は、例えばデジタルカメラ等によりメモリカード１０１に記録された画像データを、スライドショーとして再生する際に行われる。【００８１】
また、以下の説明では、メモリカード１０１、ハードディスク１０２及び光ディスク１０３のうち、いずれか一つの記録媒体から画像データ、音楽データ及び外部プログラムを読み取る動作について説明する。具体的には、光ディスク１０３から画像データ、音楽データ及び外部プログラムを読み取る動作について説明する。もちろん、メモリカード１０１、ハードディスク１０２及び光ディスク１０３のいずれから画像データ、音楽データ及び外部プログラムを読み取ってもよいし、更にはメモリカード１０１、ハードディスク１０２及び光ディスク１０３以外のデータ源からメモリカード１０１、ハードディスク１０２及び光ディスク１０３を読み取ってもよい。【００８２】
加えて、本実施例においては、画像データ、音楽データ及び外部プログラムの夫々は、同一の記録媒体から読み取られることが好ましい。【００８３】
図２に示すように、ＣＰＵ３５１の制御の下に、光ディスク１０３に外部プログラムが記録されているか否かが判定される（ステップＳ１０１）。【００８４】
ステップＳ１０１における判定の結果、光ディスク１０３に外部プログラムが記録されていないと判定された場合には（ステップＳ１０１：Ｎｏ）、図３の＊３へ進む。【００８５】
他方、ステップＳ１０１における判定の結果、光ディスク１０３に外部プログラムが記録されていると判定された場合には（ステップＳ１０１：Ｙｅｓ）、続いて、入力部３５３を用いたユーザの指示に基づいて、或いはＣＰＵ３５１の制御の下に、外部プログラムを用いて画像データ及び音楽データをスライドショーとして再生するか否かが判定される（ステップＳ１０２）。【００８６】
ステップＳ１０２における判定の結果、外部プログラムを用いて、画像データ及び音楽データをスライドショーとして再生すると判定された場合には（ステップＳ１０２：Ｙｅｓ）、ＣＰＵ３５１の制御を受ける実行プログラム選択部３２４の動作により、外部プログラム実行部３２２が、光ディスク１０３より読み取られた外部プログラムを実行することが選択される。これにより、外部プログラムを用いて画像データ及び音楽データの再生効果が規定され、外部プログラムにより規定された再生効果に応じた態様で画像データ及び音楽データがスライドショーとして再生される（ステップＳ１０３）。【００８７】
このとき、本発明における「実行手段」の一具体例を構成するＣＰＵ３５１は、内部プログラム格納部３５４に記録される内部プログラムがバックグラウンド環境下で実行されるように、内部プログラム実行部３２３を制御することが好ましい。具体的には、図４の左側に示すように、外部プログラムが主として実行されているときに、内部プログラムは、バックグラウンド環境下で（言い換えれば、外部プログラムの実行に影響を与えることなく）実行される。具体的には、内部プログラムは、画像データのデコード処理等の相対的に負荷の高い処理を行うことなく、画像データ及び音楽データの再生効果を規定するために必要最小限の処理（例えば、音楽データの再生時間軸に沿った、画像データに含まれる画像の枚数の更新処理や、現在再生されている画像の識別処理等）を行うことが好ましい。【００８８】
続いて、再生動作を終了するか否かが判定される（ステップＳ１０４）。例えば、再生するべき画像データ及び音楽データの全てを再生し終えたか否か、或いはユーザが入力部３５３を用いて再生終了の指示を出しているか否かが判定される。【００８９】
ステップＳ１０４における判定の結果、再生動作を終了すると判定された場合には（ステップＳ１０４：Ｙｅｓ）、再生動作を終了する。【００９０】
他方、ステップＳ１０４における判定の結果、再生動作を終了しないと判定された場合には（ステップＳ１０４：Ｎｏ）、続いて、入力部３５３を用いたユーザの指示に基づいて、或いはＣＰＵ３５１の制御の下に、プログラムを切り替えるか否かが判定される（ステップＳ１０５）。つまり、現在は光ディスク１０３に記録される外部再生プログラムを用いて画像データ及び音楽データがスライドショーとして再生されているが、内部プログラム格納部３５４に記録される内部プログラムを用いて画像データ及び音楽データがスライドショーとして再生されるか否かが判定される。【００９１】
ステップＳ１０５における判定の結果、プログラムを切り替えないと判定された場合には（ステップＳ１０５：Ｎｏ）、ステップＳ１０３へ戻り、外部プログラムを用いた画像データ及び音楽データのスライドショーとしての再生が継続される。【００９２】
他方、ステップＳ１０５における判定の結果、プログラムを切り替えると判定された場合には（ステップＳ１０５：Ｙｅｓ）、ＣＰＵ３５１の制御を受ける実行プログラム選択部３２４の動作により、画像データを再生するためのプログラムが、プログラム格納部３５４に記録される内部プログラムに切り替えられる（ステップＳ１０６）。以降は、画像データは内部プログラムにより再生される。【００９３】
このとき、本発明における「第１制御手段」及び「第２制御手段」の一具体例を構成するＣＰＵ３５１の制御の下に、音楽データを再生するためのプログラムは、光ディスク１０３に記録される外部プログラムのまま切り替えられない。つまり、画像データが内部プログラムにより再生される一方で、音楽データは外部プログラムにより再生される。言い換えれば、音楽データが外部プログラムにより再生される一方で、画像データの再生効果は、外部プログラムにより再生される音楽データに応じて、内部プログラムにより規定される。但し、ＣＰＵ３５１の制御を受ける実行プログラム選択部３２４の動作により、音楽データを再生するためのプログラムが、プログラム格納部３５４に記録される内部プログラムに切り替えられてもよい。【００９４】
その後、＊１へ進み、内部プログラムを用いた画像データのスライドショーとしての再生が継続される。【００９５】
他方、ステップＳ１０２における判定の結果、外部プログラムを用いて、画像データ及び音楽データをスライドショーとして再生しないと判定された場合には（ステップＳ１０２：Ｎｏ）、ＣＰＵ３５１の制御を受ける実行プログラム選択部３２４の動作により、内部プログラム実行部３２３が、内部プログラム格納部３２４より読み取られた内部プログラムを実行することが選択される。これにより、内部プログラムを用いて画像データ及び音楽データの再生効果が規定され、内部プログラムにより規定された再生効果に応じた態様で画像データ及び音楽データがスライドショーとして再生される（ステップＳ１０７）。【００９６】
このとき、本発明における「実行手段」の一具体例を構成するＣＰＵ３５１は、光ディスクに記録される外部プログラムがバックグラウンド環境下で実行されるように、外部プログラム実行部３２２を制御することが好ましい。具体的には、図４の右側に示すように、内部プログラムが主として実行されているときに、外部プログラムは、バックグラウンド環境下で（言い換えれば、内部プログラムの実行に影響を与えることなく）実行される。具体的には、外部プログラムは、画像データのデコード処理等の相対的に負荷の高い処理を行うことなく、画像データ及び音楽データの再生効果を規定するために必要最小限の処理（例えば、音楽データの再生時間軸に沿った、画像データに含まれる画像の枚数の更新処理や、現在再生されている画像の識別処理等）を行うことが好ましい。【００９７】
続いて、再生動作を終了するか否かが判定される（ステップＳ１０８）。例えば、再生するべき画像データ及び音楽データの全てを再生し終えたか否か、或いはユーザが入力部３５３を用いて再生終了の指示を出しているか否かが判定される。【００９８】
ステップＳ１０８における判定の結果、再生動作を終了すると判定された場合には（ステップＳ１０８：Ｙｅｓ）、再生動作を終了する。【００９９】
他方、ステップＳ１０８における判定の結果、再生動作を終了しないと判定された場合には（ステップＳ１０８：Ｎｏ）、続いて、入力部３５３を用いたユーザの指示に基づいて、或いはＣＰＵ３５１の制御の下に、プログラムを切り替えるか否かが判定される（ステップＳ１０９）。つまり、現在は内部プログラム格納部３５４に記録される内部再生プログラムを用いて画像データ及び音楽データがスライドショーとして再生されているが、光ディスク１０３に記録される外部プログラムを用いて画像データ及び音楽データがスライドショーとして再生されるか否かが判定される。【０１００】
ステップＳ１０９における判定の結果、プログラムを切り替えないと判定された場合には（ステップＳ１０９：Ｎｏ）、ステップＳ１０７へ戻り、内部プログラムを用いた画像データ及び音楽データのスライドショーとしての再生が継続される。【０１０１】
他方、ステップＳ１０９における判定の結果、プログラムを切り替えると判定された場合には（ステップＳ１０９：Ｙｅｓ）、ＣＰＵ３５１の制御を受ける実行プログラム選択部３２４の動作により、画像データを再生するためのプログラムが、光ディスク１０３に記録される外部プログラムに切り替えられる（ステップＳ１１０）。以降は、画像データは外部プログラムにより再生される。【０１０２】
このとき、本発明における「第１制御手段」及び「第２制御手段」の一具体例を構成するＣＰＵ３５１の制御の下に、音楽データを再生するためのプログラムは、内部プログラム格納部３５４に記録される内部プログラムのまま切り替えられない。つまり、画像データが外部プログラムにより再生される一方で、音楽データは内部プログラムにより再生される。言い換えれば、音楽データが内部プログラムにより再生される一方で、画像データの再生効果は、内部プログラムにより再生される音楽データに応じて、外部プログラムにより規定される。但し、ＣＰＵ３５１の制御を受ける実行プログラム選択部３２４の動作により、音楽データを再生するためのプログラムが、光ディスク１０３に記録される外部プログラムに切り替えられてもよい。【０１０３】
その後、＊２へ進み、外部プログラムを用いた画像データのスライドショーとしての再生が継続される。【０１０４】
続いて、図３に示すように、図２のステップＳ１０１において、光ディスク１０３に外部プログラムが記録されていないと判定された場合には、ＣＰＵ３５１の制御を受ける実行プログラム選択部３２４の動作により、内部プログラム実行部３２３が、内部プログラム格納部３２４より読み取られた内部プログラムを実行することが選択される。これにより、内部プログラムを用いて画像データ及び音楽データの再生効果が規定され、内部プログラムにより規定された再生効果に応じた態様で画像データ及び音楽データがスライドショーとして再生される（ステップＳ２０１）。【０１０５】
続いて、再生動作を終了するか否かが判定される（ステップＳ２０２）。例えば、再生するべき画像データ及び音楽データの全てを再生し終えたか否か、或いはユーザが入力部３５３を用いて再生終了の指示を出しているか否かが判定される。【０１０６】
ステップＳ２０２における判定の結果、再生動作を終了すると判定された場合には（ステップＳ２０２：Ｙｅｓ）、再生動作を終了する。【０１０７】
他方、ステップＳ２０２における判定の結果、再生動作を終了しないと判定された場合には（ステップＳ２０２：Ｎｏ）、ステップＳ２０１へ戻り、内部プログラムを用いた画像データ及び音楽データのスライドショーとしての再生が継続される。【０１０８】
ここで、プログラムを切り替える際の動作について、図５及び図６を参照して、より具体的に説明する。【０１０９】
図５（ａ）に示すように、外部プログラムを用いて画像データ及び音楽データの夫々が再生されているときに、プログラムを切り替える指示（つまり、内部プログラムに切り替える旨の指示）がなされた場合について説明する。この場合、画像データを再生するプログラムが切り替えられることで、画像データが内部プログラムによって再生される一方で、音楽データを再生するプログラムは切り替えられず、音楽データは外部プログラムによって再生される。【０１１０】
その後、再度プログラムを切り替える指示（つまり、外部プログラムに切り替える旨の指示）がなされた場合は、図５（ｂ）に示すように、画像データを再生するプログラムが切り替えられることで、画像データ及び音楽データの夫々が外部プログラムによって再生される。【０１１１】
他方、図６（ａ）に示すように、内部プログラムを用いて画像データ及び音楽データの夫々が再生されているときに、プログラムを切り替える指示（つまり、外部プログラムに切り替える旨の指示）がなされた場合について説明する。この場合、画像データを再生するプログラムが切り替えられることで、画像データが外部プログラムによって再生される一方で、音楽データを再生するプログラムは切り替えられず、音楽データは内部プログラムによって再生される。【０１１２】
その後、再度プログラムを切り替える指示（つまり、内部プログラムに切り替える旨の指示）がなされた場合は、図６（ｂ）に示すように、画像データを再生するプログラムが切り替えられることで、画像データ及び音楽データの夫々が内部プログラムによって再生される。【０１１３】
以上説明したように、本実施例に係る情報記録再生装置２００によれば、メモリカード１０１、ハードディスク１０２及び光ディスク１０３に記録される外部プログラムを用いて画像データ及び音楽データをスライドショーとして再生するか、内部プログラム格納部３５４に記録される内部プログラムを用いて画像データ及び音楽データをスライドショーとして再生するかを適宜選択し、切り替えることができる。一般に、画像データ及び音楽データと共に外部プログラムが同じ記録媒体に記録されている場合には、外部プログラムのみを用いて、画像データ及び音楽データをスライドショーとして再生することが多い。しかるに、本実施例によれば、外部プログラムとは異なる内部プログラムをも用いて、画像データ及び音楽データを、外部プログラムが規定するスライドショーの態様とは異なる態様のスライドショーとして再生することができる。このため、画像データ及び音楽データを、好適な態様のスライドショーとして再生することができる。【０１１４】
そして、いずれの再生プログラムを用いて画像データ及び音楽データのスライドショーとしての再生を行うかを、ユーザの指示により或いはＣＰＵ３５１の制御に応じていわば自動的に選択することができる。このため、ユーザの趣向に合わせて、画像データ及び音楽データを、好適な態様のスライドショーとして再生することができる。【０１１５】
加えて、内部プログラム格納部３５４に記録されている内部プログラムを適宜更新することで、画像データ及び音楽データを、多種多様な態様のスライドショーとして再生することができる。【０１１６】
更に、本実施例では、プログラムを切り替える旨の指示がなされた場合に、画像データを再生するプログラムを切り替え、音楽データを再生するプログラムを切り替えなくともよい。これにより、プログラムの切り替えによっても、楽曲の滑らかなつながりが相対的に重視される音楽データの不自然な切り替え（具体的には、再生される音楽の突然の変更や、音とびや、ノイズの発生等）が殆ど或いは全く生じないという利点を有する。一方で、画像データの再生の態様を切り替えることができるため、画像データ及び音楽データを、多種多様な態様のスライドショーとして再生することができる。【０１１７】
更に、本実施例では、外部プログラム及び内部プログラムのうちのいずれか一方のプログラムが画像データ及び音楽データの再生に実際に用いられているときに、外部プログラム及び内部プログラムのうちのいずれか他方のプログラムをバックグラウンド環境下で実行してもよい。これにより、プログラムを切り替える旨の指示がなされた場合であっても、プログラムの切り替えを相対的にスムーズに或いは相対的に短時間で行うことができる。これにより、画像データ及び音楽データのスライドショーとしての再生に違和感を発生させることなく、好適に再生を継続することができる。【０１１８】
特に、バックグラウンド環境下で実行されるプログラムは、画像データ及び音楽データの再生に実際に用いられているプログラムと比較して、相対的に低負荷である。これにより、画像データ及び音楽データのスライドショーとしての再生に悪影響を与えることなく、プログラムをバックグラウンド環境下で実行しつつ、上述した各種利益を享受することができる。【０１１９】
尚、本実施例に係る情報記録再生装置２００における記録動作に関しては、図１のブロック図の説明において述べていることから、その詳細については省略する。しかしながら、記録動作の流れは、再生動作と概ね同一である。つまり、再生効果の規定された画像データ及び音楽データに対して、エンコーダ３１２の動作にエンコーディング処理が施された後に、画像データ及び音楽データがメモリカード１０１や、ハードディスク１０２や、光ディスク１０３に記録される。【０１２０】
このとき、画像データ及び音楽データは、記録対象となる光ディスク１０３等（本実施例においては、特にＤＶＤ）のフォーマットに変換され、該画像データ及び音楽データを光ディスク１０３に記録することが好ましい。これにより、画像データ及び音楽データが記録された光ディスク１０３を再生することができるあらゆる機器で、画像データ及び音楽データをスライドショーとして再生することができる。言い換えれば、画像データ及び音楽データを用いてスライドショーを行う専用のプログラムを用いることなく、或いは画像データ及び音楽データを用いてスライドショーを行う専用のプログラムを実行するための特別な機器（例えば、パソコン等）を必要とすることなく、光ディスク１０３用のプレーヤを用いて、画像データ及び音楽データをスライドショーとして比較的容易に再生することができる。もちろん、その他の記録媒体に画像データ及び音楽データを記録する場合も、同様の動作を行うことで、同様の利益を享受することができる。【０１２１】
尚、本実施例に係る情報記録再生装置２００によれば、記録動作及び再生動作を並行して行う（つまり、画像データ及び音楽データをスライドショーとして再生しながら、該画像データ及び音楽データを記録する）ことができる。この際、本実施例に係る情報記録再生装置２００は、再生用バッファ１２１、１２２及び１２３と、記録用バッファ１３１、１３２及び１３３の夫々を備えている。このため、２倍速以上の記録及び再生動作を行うことが可能な一の記録媒体を利用すれば、一の記録媒体から例えば画像データを再生しつつ、該再生される画像データと他の記録媒体に記録されている音楽データとを、再生効果を規定しつつ一の記録媒体に記録することもできる。【０１２２】
（３）  変形例
続いて、図７を参照して、変形例に係る情報記録再生装置２００ａについて説明する。ここに、図７は、変形例に係る情報記録再生装置２００ａ内部の構成を概念的に示すブロック図である。尚、上述した本実施例に係る情報記録再生装置２００と同一の構成については、同一の参照符号を付して、その詳細な説明については省略する。【０１２３】
図７に示すように、変形例に係る情報記録再生装置２００ａは、上述した本実施例に係る情報記録再生装置２００と同様に、メモリカード１０１と、ハードディスク１０２と、光ディスク１０３と、記録再生部１１１と、記録再生部１１２と、記録再生部１１３と、再生用バッファ１２１と、再生用バッファ１２２と、再生用バッファ１２３と、記録用バッファ１３１と、記録用バッファ１３２と、記録用バッファ１３３と、画像指定部３０１と、音楽指定部３０２と、画像デコーダ３０３と、音楽デコーダ３０４と、解像度変換部３０５と、デジタル変換部３０６と、デジタル変換部３０７と、外部画像指定部３０８と、外部音楽指定部３０９と、エンコーダ３１２と、再生部３１３と、プログラム指定部３２１と、外部プログラム実行部３２２と、内部プログラム実行部３２３と、プログラム切替部３２４と、ＣＰＵ３５１と、メモリ３５２と、入力部３５３とを備えている。【０１２４】
変形例では特に、メモリは、複数の内部プログラム格納部３５４ａ、３５４ｂ及び３５４ｃを備えている。複数の内部プログラム格納部３５４ａ、３５４ｂ及び３５４ｃには、夫々異なる内部プログラムが記録される。具体的には、例えば、内部プログラム格納部３５４ａに格納されている内部プログラムによるスライドショーの態様と、内部プログラム格納部３５４ｂに格納されている内部プログラムによるスライドショーの態様と、内部プログラム格納部３５４ｃに格納されている内部プログラムによるスライドショーの態様との夫々が異なる。【０１２５】
これにより、複数の内部プログラムのなかから所望のプログラムを選択することができるため、画像データ及び音楽データを、より多種多様な態様のスライドショーとして再生することができる。【０１２６】
（４）  内部プログラムによる再生の一具体例
続いて、図８から図１０を参照して、本実施例に係る情報記録再生装置２００の再生動作のうちの内部プログラムによる再生の一具体例について説明する。ここに、図８は、本実施例に係る情報記録再生装置２００の再生動作のうちの内部プログラムによる再生の一具体例を実現するときの、情報記録再生装置２００内部の構成を概念的に示すブロック図であり、図９は、本実施例に係る情報記録再生装置２００の再生動作のうちの内部プログラムによる再生の一具体例の流れを概念的に示すフローチャートであり、図１０は、画像データの枚数、音楽データの演奏時間及びスライドショーの表示に要する時間を表示する表示画面を概念的に示す説明図である。【０１２７】
図８に示すように、本実施例に係る情報記録再生装置２００の再生動作のうちの内部プログラムによる再生の一具体例を実現するときには、内部プログラム実行部３２３中においていわば論理的な動作ブロックが形成される。具体的には内部プログラム実行部３２３内において、音楽解析部３１０と、特殊効果処理部３１１とが、いわば論理的な動作ブロックとして形成される。【０１２８】
音楽解析部３１０は、外部音楽指定部３０９から出力される音楽データに含まれる音楽の特徴（具体的には、音楽データに含まれる各音楽のテンポや、フレーズや、その他音楽的な特徴）を解析可能に構成されている。解析結果は、特殊効果処理部３１１へ出力される。【０１２９】
特殊効果処理部３１１は、音楽解析部３１０から出力される解析結果（即ち、音楽データの特徴）に応じて、外部画像指定部３０８から出力される画像データの再生効果を規定可能に構成されている。具体的な再生効果の規定の手法については、後に詳述する。再生効果が規定された画像データ及び音楽データは、エンコーダ３１２及び再生部３１３へ出力される。【０１３０】
以下、図８に示す構成を有する情報記録再生装置２００の具体的な動作について説明する。【０１３１】
図９に示すように、入力部３５３を用いたユーザの指示に基づいて、初めに画像指定部３０１及び外部画像指定部３０８の動作により、画像データの取得先が指定され、該指定された取得先から取得すべき画像データが指定される（ステップＳ３０１）。【０１３２】
尚、画像データの取得先が複数存在していてもよい。つまり、ある画像データをメモリカード１０１から取得し、別の画像データをハードディスク１０２から取得するように構成してもよい。これにより、より多種多様な画像を含むスライドショーを実現することができる。【０１３３】
続いて、ＣＰＵ３５１の制御の下に、指定された画像データに含まれる画像の枚数が算出される（ステップＳ３０２）。【０１３４】
並行して、画像指定部３０２及び外部音楽指定部３０９の動作により、音楽データの取得先が指定され、該指定された取得先から取得すべき音楽データが指定される（ステップＳ３０３）。【０１３５】
尚、音楽データの取得先が複数存在していてもよい。つまり、ある音楽データをメモリカード１０１から取得し、別の音楽データをハードディスク１０２から取得するように構成してもよい。これにより、より多種多様な音楽を含むスライドショーを実現することができる。【０１３６】
また、音楽データの取得先は、画像データの取得先と同一であってもよいし、或いは異なっていてもよい。【０１３７】
続いて、ＣＰＵ３５１の制御の下に、指定された音楽データに含まれる音楽の演奏時間が算出される（ステップＳ３０４）。【０１３８】
その後、ＣＰＵ３５１の制御の下に、ステップＳ３０２において算出された画像の枚数と、ステップＳ３０４において算出された音楽の演奏時間とに基づいて、指定された画像データ及び音楽データを用いてスライドショーを再生した場合に要する時間等を示す表示画面が、情報記録再生装置２００に接続されたディスプレイ等に表示される（ステップＳ３０５）。【０１３９】
この表示画面について、図１０を参照して具体的に説明する。【０１４０】
図１０に示すように、表示画面には、例えば指定された音楽データに含まれる音楽の曲数及び演奏時間や、指定された画像データに含まれる画像の枚数等が表示される。具体的には、表示画面の左側部分から、指定された音楽データに含まれる音楽が３曲であり、指定された画像データに含まれる画像の枚数が４５枚であることを、ユーザは認識することができる。表示画面の右側部分の最上部から、指定された音楽データに含まれる音楽の演奏時間が１０分１５秒であることを、ユーザは認識することができる。【０１４１】
更に、図１０に示すように、表示画面には、指定された画像データに含まれる画像を所定の時間間隔で連続的に表示した場合に、全ての画像を表示するために要する時間が表示される。具体的には、表示画面の右側部分から、指定した画像データに含まれる４５枚の画像を５秒間隔で連続的に表示した場合には、４５枚の画像を表示するために要する時間が３分４５秒であることを、ユーザは認識することができる。指定された画像データに含まれる４５枚の画像を１０秒間隔で連続的に表示した場合には、４５枚の画像を表示するために要する時間が７分３０秒であることを、ユーザは認識することができる。指定された画像データに含まれる４５枚の画像を１５秒間隔で連続的に表示した場合には、４５枚の画像を表示するために要する時間が１１分１５秒であることを、ユーザは認識することができる。【０１４２】
ユーザは、この時間表示を元に、入力部３５３を用いて、画像データに含まれる画像の表示間隔を選択してもよい。或いは、指定された画像の枚数の増減や、指定された画像の変更や、指定された音楽の曲数の増減や、或いは指定された音楽の変更を指示してもよい。例えば指定された音楽データに含まれる音楽の演奏時間と、指定された画像データに含まれる画像の表示に要する時間とが概ね一致するように、指定された画像データ及び音楽データ少なくとも一方の変更（即ち、新たな画像データ又は音楽データの選択）を指示してもよい。【０１４３】
加えて、ユーザは、入力部３５３を用いて、画像データに含まれる画像の再生順序を指定してもよい。このとき、１枚の画像を異なるタイミングで複数回再生するように構成してもよい。同様に、ユーザは、音楽データに含まれる音楽の再生順序を指定してもよい。【０１４４】
再び図９において、時間表示の後、ＣＰＵ３５１の制御の下に、指定された画像データ及び音楽データの少なくとも一方を変更するか否かが判定される（ステップＳ３０６）。言い換えれば、ユーザから、指定された画像データ及び音楽データの少なくとも一方を変更する旨の指示がなされるか否か、或いは指定された音楽データに含まれる音楽の演奏時間と、指定された画像データに含まれる画像の表示に要する時間とが概ね一致するように、ＣＰＵ３５１から、いわば自動的に画像データ及び音楽データ少なくとも一方を変更する旨の指示がなされるか否かが判定される。【０１４５】
尚、ステップＳ３０６における判定に加えて又は代えて、指定された音楽データに含まれる音楽の演奏時間を、指定された画像データに含まれる画像の枚数で割ることで、１画像当たりの表示時間を算出し、該算出された表示時間の間隔で画像を連続的に表示するように構成してもよい。これにより、一旦指定された画像データ及び音楽データを変更しなくとも、音楽データに含まれる音楽の再生の終了と同時に画像データに含まれる画像の表示を終了させることができる。【０１４６】
ステップＳ３０６における判定の結果、指定された画像データ及び音楽データの少なくとも一方を変更すると判定された場合には（ステップＳ３０６：Ｎｏ）、ステップＳ３０１及びステップＳ３０３へ戻り、再度画像データ及び音楽データの少なくとも一方が指定される。【０１４７】
他方、ステップＳ３０６における判定の結果、指定された画像データ及び音楽データの少なくとも一方を変更しないと判定された場合には（ステップＳ３０６：Ｙｅｓ）、続いて、ステップＳ３０１及びステップＳ３０３において指定された画像データ及び音楽データが取得される（ステップＳ３０７）。【０１４８】
続いて、画像デコーダ３０３及び音楽デコーダ３０４の動作により、取得された画像データ及び音楽データのデコーディング処理が行われる（ステップＳ３０８）。【０１４９】
続いて、音楽解析部３１０の動作により、取得された音楽データに含まれる音楽の特徴が解析される（ステップＳ３０９）。具体的には、音楽データに含まれる各音楽のテンポがどのような態様であるか（或いは、どのような傾向ないしは分布を示しているか）、各音楽のフレーズがどのような態様であるか（或いは、どのような傾向ないしは分布を示しているか）、その他音楽的な特徴がどのような態様であるか（或いは、どのような傾向ないしは分布を示しているか）等が解析される。【０１５０】
続いて、特殊効果処理部３１１の動作により、ステップＳ３０９において解析された音楽の特徴（即ち、音楽データの解析結果）に基づいて、画像データ（具体的には、画像データに含まれる画像）の再生効果が規定される（ステップＳ３１０）。【０１５１】
具体的には、例えば、音楽データに含まれる音楽のテンポに合わせて、画像データに含まれる画像の表示を切り替えてもよい。具体的には、例えば、テンポが速い音楽に合わせて画像を表示する場合には、画像が相対的に短い時間で切り替えられ（言い換えれば、画像１枚当たりの表示時間が短くなり）、他方、テンポが遅い音楽に合わせて画像を表示する場合には、画像が相対的に長い時間で切り替えられる（言い換えれば、画像１枚当たりの表示時間を長くなる）。【０１５２】
また、例えば、音楽データに含まれる音楽のテンポに合わせて、画像データに含まれる画像に付加する表示効果（例えば、画像の表示位置の移動や、画像の回転や、画像の輝度変化や、画像の色変化等）の時間を設定してもよい。具体的には、例えば、テンポが速い音楽に合わせて画像を表示する場合には、表示効果の時間を短く設定してもよい。つまり、例えば、相対的に短い時間で、画像の表示位置を移動させたり、画像を回転させたり、画像の輝度を変化させたり、画像の色合いを変化させたりしてもよい。他方、テンポが遅い音楽に合わせて画像を表示する場合には、表示効果の時間を長く設定してもよい。つまり、例えば、相対的に長い時間で、画像の表示位置を移動させたり、画像を回転させたり、画像の輝度を変化させたり、画像の色合いを変化させたりしてもよい。【０１５３】
或いは、例えば、音楽データに含まれる音楽のフレーズに合わせて、画像データに含まれる画像の表示を切り替えてもよい。具体的には、例えば、１フレーズ毎に画像の表示を切り替えてもよいし、数フレーズ毎に画像の表示を切り替えてもよいし、１フレーズ毎に複数の画像を表示してもよい。【０１５４】
或いは、例えば、音楽データに含まれる音楽のフレーズに合わせて、画像データに含まれる画像に付加する表示効果の時間を設定してもよい。具体的には、例えば、１フレーズ毎に、画像の表示位置を移動させたり、画像を回転させたり、画像の輝度を変化させたり、画像の色合いを変化させたりしてもよい。例えば、数フレーズ毎に、画像の表示位置を移動させたり、画像を回転させたり、画像の輝度を変化させたり、画像の色合いを変化させたりしてもよい。或いは、例えば、１フレーズの時間を基準として、画像の表示位置を移動させたり、画像を回転させたり、画像の輝度を変化させたり、画像の色合いを変化させたりしてもよい。【０１５５】
その後、再生部３１３の動作により、取得された音楽データに含まれる音楽の再生に合わせて、ステップＳ３１０において規定された再生効果を実現しながら、取得された画像データに含まれる画像が再生される（ステップＳ３１１）。即ち、取得された画像データ及び音楽データが、スライドショーとして再生される。【０１５６】
続いて、ＣＰＵ３５１の制御の下に、次に取得すべき（言い換えれば、新たに取得すべき）画像データ又は音楽データが存在しているか否かが判定される（ステップＳ３１２）。例えば、画像データをメモリカード１０１及びハードディスク１０２の夫々から取得する場合には、初めにメモリカード１０１から取得された画像データに対して上述した処理が行われ、続いて、ハードディスク１０２から取得された画像データに対して上述した処理が行われる。音楽データについても同様である。【０１５７】
ステップＳ３１２における判定の結果、次に取得すべき画像データ又は音楽データが存在していると判定された場合には（ステップＳ３１２：Ｙｅｓ）、ステップＳ３０７へ戻り、新たに画像データ又は音楽データが取得され、該新たに取得された画像データ又は音楽データに対してステップＳ３０８以降の処理が行われる。【０１５８】
他方、ステップＳ３１２における判定の結果、次に取得すべき画像データ又は音楽データが存在していないと判定された場合には（ステップＳ３１２：Ｎｏ）、ステップＳ３０１及びＳ３０３において指定された画像データ及び音楽データの全てに対して、ステップＳ３０７からステップＳ３１１の処理が行われたことが判明する。つまり、ステップＳ３０１及びＳ３０３において指定された画像データ及び音楽データの全てを、スライドショートして再生したことが判明する。従って、この場合、再生動作を終了する。【０１５９】
このように、内部プログラムによる再生の一具体例によれば、取得された音楽データに含まれる音楽の再生に合わせて、規定された再生効果を実現しながら、取得された画像データに含まれる画像を再生することができる。【０１６０】
特に、内部プログラムによる再生の一具体例によれば、取得される音楽データの特徴をリアルタイムに（つまり、音楽データの取得の都度）解析し、該解析結果に応じて画像データの再生効果を規定することができる。つまり、音楽データと共に再生される画像データの再生態様が予め限定されていないため、より多種多様な態様で音楽データの再生に合わせて画像データを再生することができるという大きな利点を享受することができる。【０１６１】
加えて、データ源を同一の記録媒体に限定することなく、複数の記録媒体のうち所望の記録媒体から画像データ及び音楽データの夫々を取得してもよい。言い換えれば、画像データ及び音楽データの夫々の取得先が予め限定されていなくともよい。このため、音楽データ及び画像データの夫々を、ユーザが所望のデータ源から取得することができる。従って、より多種多様なスライドショーを再生することができる。つまり、より多種多様な音楽の再生に合わせて、規定された多種多様な再生効果を実現しながら、多種多様な画像を再生することができる。【０１６２】
更に、画像の再生順序等も自由に指定することができるため、よりユーザの好みに合ったスライドショーを再生することができる。【０１６３】
尚、上述の実施例では、情報記録媒体の一例としてメモリカード１０１、ハードディスク１０２及び光ディスク１０３、情報再生装置の一例としてメモリカード１０１、ハードディスク１０２及び光ディスク１０３に係るプレーヤについて説明したが、本発明は、これらの記録媒体及びそのプレーヤに限られるものではなく、他の高密度記録或いは高転送レート対応の各種情報記録媒体並びにそのプレーヤにも適用可能である。【０１６４】
本発明は、上述した実施例に限られるものではなく、請求の範囲及び明細書全体から読み取れる発明の要旨或いは思想に反しない範囲で適宜変更可能であり、そのような変更を伴なう情報再生装置及び方法、並びにコンピュータプログラムもまた本発明の技術的範囲に含まれるものである。
【産業上の利用可能性】
【０１６５】
本発明に係る情報再生装置及び方法、並びにコンピュータプログラムは、例えばスライドショーを再生する情報再生装置に利用可能である。また、例えば民生用或いは業務用の各種コンピュータ機器に搭載される又は各種コンピュータ機器に接続可能な情報再生装置等にも利用可能である。
【図１】
2007111300.tif 000003
【図２】
2007111300.tif 000004
【図３】
2007111300.tif 000005
【図４】
2007111300.tif 000006
【図５】
2007111300.tif 000007
【図６】
2007111300.tif 000008
【図７】
2007111300.tif 000009
【図８】
2007111300.tif 000010
【図９】
2007111300.tif 000011
【図１０】
2007111300.tif 000012
【手続補正書】
【提出日】平成20年1月28日(2008.1.28)
【手続補正１】
【補正対象書類名】特許請求の範囲
【補正対象項目名】請求項１
【補正方法】変更
【補正の内容】
【請求項１】
画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、
前記画像データ及び前記音楽データの夫々を第２の態様のスライドショーとして再生する第２の再生プログラムを格納する格納手段と、
前記第１の再生プログラム及び前記第２の再生プログラムのうちいずれか一つを、前記画像データの再生に実際に用いられる主たる再生プログラムとして選択する選択手段と、
前記選択手段により選択されている前記主たる再生プログラムにより、少なくとも前記画像データを再生しつつ、前記第１の態様又は前記第２の態様のスライドショーを再生する再生手段と
を備えることを特徴とする情報再生装置。
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、
前記画像データ及び前記音楽データの夫々を第２の態様のスライドショーとして再生する第２の再生プログラムを格納する格納手段と、
前記第１の再生プログラム及び前記第２の再生プログラムのうちいずれか一つを、前記画像データの再生に実際に用いられる主たる再生プログラムとして選択する選択手段と、
前記選択手段により選択されている前記主たる再生プログラムにより、少なくとも前記画像データを再生しつつ、前記第１の態様又は前記第２の態様のスライドショーを再生する再生手段と
を備え、
前記選択手段により選択されている前記主たるプログラムにより前記画像データ及び前記音楽データの夫々が再生されているときに、前記選択手段により選択されていない従たる再生プログラムが新たに前記主たるプログラムとして選択された場合、新たに選択されている前記主たる再生プログラムにより前記画像データを再生し、且つ前記主たる再生プログラムが新たに選択される以前に選択されていた前記主たる再生プログラムにより前記音楽データを再生するように前記再生手段を制御する第１制御手段を更に備えることを特徴とする情報再生装置。
【請求項２】
前記選択手段により選択されている前記主たるプログラムにより前記画像データが再生され且つ前記選択手段により選択されていない前記従たる再生プログラムにより前記音楽データの夫々が再生されているときに、前記選択手段により選択されていない従たる再生プログラムが新たに主たるプログラムとして選択された場合、新たに選択されている前記主たる再生プログラムにより前記画像データ及び前記音楽データの夫々を再生するように前記再生手段を制御する第２制御手段を更に備えることを特徴とする請求項１に記載の情報再生装置。
【請求項３】
前記第１再生プログラム及び前記第２再生プログラムのうち前記選択手段により選択されていない従たる再生プログラムを、バックグラウンド環境下で実行する実行手段を更に備えることを特徴とする請求項１又は２に記載の情報再生装置。
【請求項４】
前記実行手段は、前記従たる再生プログラムの処理負荷が前記主たる再生プログラムの処理負荷よりも軽くなるように、前記従たる再生プログラムを実行することを特徴とする請求項３に記載の情報再生装置。
【請求項５】
前記格納手段は、前記読取手段により読み取られる前記画像データ及び前記音楽データの夫々を、夫々異なる前記第２の態様のスライドショーとして再生する複数の前記第２の再生プログラムを格納し、
前記選択手段は、前記読取手段により読み取られる前記第１の再生プログラム及び前記格納手段に格納される前記複数の第２の再生プログラムのうちいずれか一つを、前記主たる再生プログラムとして選択することを特徴とする請求項１から４のいずれか一項に記載の情報再生装置。
【請求項６】
画像データ、音楽データ、並びに前記画像データ及び前記音楽データの夫々を第１の態様のスライドショーとして再生する第１の再生プログラムが記録された情報記録媒体から、前記画像データ、前記音楽データ及び前記第１の再生プログラムの少なくとも一つを読み取る読取手段と、前記画像データ及び前記音楽データの夫々を第２の態様のスライドショーとして再生する第２の再生プログラムを格納する格納手段とを備える情報再生装置における情報再生方法であって、
前記第１の再生プログラム及び前記第２の再生プログラムのうちいずれか一つを、少なくとも前記画像データの再生に実際に用いられる主たる再生プログラムとして選択する選択工程と、
前記選択工程において選択されている前記主たる再生プログラムにより、少なくとも前記画像データを再生しつつ、前記第１の態様又は前記第２の態様のスライドショーを再生する再生手段と
を備え、
前記選択工程により選択されている前記主たるプログラムにより前記画像データ及び前記音楽データの夫々が再生されているときに、前記選択工程により選択されていない従たる再生プログラムが新たに前記主たるプログラムとして選択された場合、新たに選択されている前記主たる再生プログラムにより前記画像データを再生し、且つ前記主たる再生プログラムが新たに選択される以前に選択されていた前記主たる再生プログラムにより前記音楽データを再生するように前記再生手段を制御する第１制御工程を更に備えることを特徴とする情報再生方法。
【請求項７】
請求項１から５のいずれか一項に記載の情報再生装置に備えられたコンピュータを制御する再生制御用のコンピュータプログラムであって、該コンピュータを前記選択手段及び前記再生手段のうち少なくとも一部として機能させることを特徴とするコンピュータプログラム。
【国際調査報告】
2007111300.tif 000013
2007111300.tif 000014